(57)【要約】【課題】配送容易、且つ飾り付けに手間のかからない観賞用植物セット１の提供を目的とする。【解決手段】観賞用植物セット１は、観賞用植物６，６，６を保持した複数の保持容器が、基板上に所定の配置で固定されている構成にしてある。また、保持容器が、固定手段を介して着脱可能に基板２上に固定されている。そして、複数の保持容器と基板２とを内部に収容する収容ケース３を備えてなる。更に、収容ケース３が、内部に収容された観賞用植物６，６，６を外方から透視可能な材料で構成されているものである。【選択図】図２
0003125736.tif 000002
【実用新案登録請求の範囲】
【請求項１】
観賞用植物を保持した複数の保持容器が、基板上に所定の配置で固定されていることを特徴とする観賞用植物セット。
【請求項２】
保持容器が、固定手段を介して着脱可能に、基板上に固定されてことを特徴とする請求項１に記載の観賞用植物セット。
【請求項３】
複数の保持容器と基板とを内部に収容する収容ケースを備えてなることを特徴とする請求項１又は請求項２に記載の観賞用植物セット。
【請求項４】
収容ケースが、内部に収容された観賞用植物を外方から透視可能な材料で構成されていることを特徴とする請求項１から請求項３のいずれか１項に記載の観賞用植物セット。
【請求項５】
観賞用植物が胡蝶蘭を含むことを特徴とする請求項１から請求項４のいずれか一項に記載の観賞用植物セット。
【考案の詳細な説明】
【技術分野】
【０００１】
本考案は、複数の観賞用植物を一つの空間内にまとめた観賞用植物セットに関するものである。
【背景技術】
【０００２】
近年のガーデニングブームに伴って、自宅の玄関、ベランダ等で様々な植物を育て、小人や家等の園芸用小物とともに飾ることで、緑のある暮らしや潤いある空間を楽しむ人が多くなってきている。また、人の出入りのある店頭や各種施設内等には、訪れた人の心を和ませ、快適で美しい空間を演出するために、切り花や鉢植えの植物等が飾られている。
【０００３】
このような観賞用植物を楽しむための用品に関し、下記特許文献１には、自宅のベランダや庭先に置く、寄せ植え用のコンテナについて、ミニチュアサイズの家等の各種小物を、寄せ植えされた草花とともにコンテナ内に飾り付けることのできるキットに関する技術が開示されている。
【０００４】
【特許文献１】特開２００２−５２２６７号公報
【考案の開示】
【考案が解決しようとする課題】
【０００５】
しかしながら、上記キットは、園芸に必要な用品が揃っているものの各種観賞用植物をミニチュアサイズの家等とともにコンテナ内の所定の位置に飾り付け、美しく完成させるといった作業を、自分自身で行わなければならない。専門家でない者にとってはバランスの取れたセンスある飾り付けをすることは困難であり、キットを購入しても、これを美しく装飾するという非常に面倒な作業を強いられ、緑ある暮らしを手に入れるにはかなりの労力、費用及び時間を要する。更に、コンテナへの寄せ植えは重量があるため、完成品の配送は困難であり、また、屋内に飾るのには衛生面での問題などから不向きである。
【０００６】
また、店頭や各種施設内に切り花や鉢植え等の植物を飾る際には、通常、植物を傷つけず、形状を壊すことのないように、段ボール等のケース内に収納し、軟質材の詰め物等を入れて梱包荷造りし、実際に飾り付けを行う現場まで他の各種装飾用品とともに配送した後、開封し、所定の立体的な位置に配して飾り付けるといった作業が行われている。これらの荷造り、配送、開封、飾り付けには、多大な労力、費用、時間を要するという問題があった。
【０００７】
本考案は、上記した従来の問題点に鑑みてなされたものであって、配送容易、且つ飾り付けに手間のかからない観賞用植物セットの提供を目的とする。
【課題を解決するための手段】
【０００８】
上記目的を達成するために、本考案に係る観賞用植物セットは、観賞用植物を保持した複数の保持容器が、基板上に所定の配置で固定されている構成にしてある。
【０００９】
また、前記構成において、保持容器が、固定手段を介して着脱可能に基板上に固定されていることを特徴とするものである。
【００１０】
そして、前記した各構成において、複数の保持容器と基板とを内部に収容する収容ケースを備えてなるものである。
【００１１】
更に、前記した各構成において、収容ケースが、内部に収容された観賞用植物を外方から透視可能な材料で構成されているものである。
【００１２】
更に、前記した各構成において、観賞用植物が胡蝶蘭を含むものである。
【考案の効果】
【００１３】
本考案に係る観賞用植物セットによれば、観賞用植物を保持した複数の保持容器が、基板上に所定の配置で固定されているので、植物の配置を維持しつつ美しい立体的な空間を配送先へ直接届けることが可能である。
【００１４】
また、保持容器が、固定手段を介して着脱可能に、基板上に固定されている場合は、植物を基板から取り外して、切花用保水具などへの水の補充や交換、鉢植え植物の水やり、肥料やり等といった世話をすることができ、これらの作業が容易となる。
【００１５】
そして、複数の保持容器と基板とを内部に収容する収容ケースを備えてなる場合は、配送のために段ボールに詰め物とともに植物を収容するといった荷造りの必要がない。
【００１６】
更に、収容ケースが、内部に収容された観賞用植物を外方から透視可能な材料で構成されている場合は、収容ケースに収容したままの状態で、展示することが可能であり、配送後の開封の必要がなくなる。
【考案を実施するための最良の形態】
【００１７】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る観賞用植物セット１の基板２及び収容ケース３を示す斜視図、図２は前記観賞用植物セット１の斜視図である。図１において、この実施形態に係る観賞用植物セット１の外装は、平面視にて略正方形状の合成樹脂製の基板２と、基板２の外周部四辺に沿うよう着脱可能に立設された収容ケース３により構成される。
【００１８】
収容ケース３は、ケース内部に収容された観賞用植物６，６，６（図２参照）を外方から透視可能な材料で構成された角筒状且つ任意高さの側板４及び蓋５より一体に構成される。尚、透視可能な材料とは、例えば、透明樹脂、ガラスなどが挙げられ、また、側板４の高さは収納する植物の背丈に応じて選定されるものである。
【００１９】
図２に示すように、収容ケース３の内部には、基板２上に、観賞用植物６，６，６を保持した複数の保持容器７，７，７（後述の図３参照）と、陶製の小さな女の子の人形８ａ、小さなアヒルの置物８ｄ、風鈴８ｂ等の装飾品８，８，８とが、固定手段９（後述の図３参照）を介して所定の配置で着脱可能に固定されている。ここで、所定の配置とは、例えば、背の低い装飾品８や観賞用植物６を手前に、背の高い装飾品８や観賞用植物６を奥側にするような配置や、胡蝶蘭６ａなどの背が高く嵩高い観賞用植物６を基板２の中央位置とし、中央の観賞用植物６よりは小さな装飾品８や観賞用植物６でその周囲を飾るといった配置等挙げられるが、これらに限定されず、個人の好みや流行等に応じてバランスよく配置されるものであればよい。
【００２０】
観賞用植物６，６，６は、鉢植えの胡蝶蘭６ａ、サボテン６ｂ、ユリ科やイネ科の植物６ｃ等を用いたが、観賞用に利用される植物であれば、他の品種の植物であってもよく、また、切花であってもよい。更に、生草花に限られず、造花等であってもよい。また、保持容器７，７，７（後述の図３参照）は、植物を保持できるものであればよく、陶製や樹脂製、金属製等の植木鉢、合成樹脂発泡体等の切花用保水具を内部に収容した籠や花瓶、樹脂容器等を用いる。
【００２１】
保持容器７，７，７（後述の図３参照）を基板２上に固定する固定手段９は、例えば、特開平１１−１２８５号公報に示す構成等を用いる。即ち、図３〜図６に示す基板２の取付部１０、受け部材２１、固定部材２２により、固定手段９は構成される。図３は、これら各部材を組み立てた状態の縦断面図である。同図より、基板２の取付部１０に受け部材２１が固定され、保持容器７底部の水抜き用の孔２７を利用して受け部材２１と固定部材２２とが螺合される。
【００２２】
基板２、受け部材２１、固定部材２２を図４〜図６において順に説明する。ます、図４（ａ）は基板２の平面図、同図（ｂ）は同図（ａ）のＡ−Ａ線矢視断面の部分拡大図である。図４（ａ）に示すように、基板２は平面視略正方形状であり、上面に観賞用植物６，６，６を保持した複数の保持容器７，７，７を基板２の上面に取り付ける取付部１０，１０，１０が形成されている。これらの各取付部１０，１０，１０の周囲は略円環状に形成された縦壁１４で囲繞されると共に、縦壁１４の円周上等間隔、例えば１２０度等間隔位置を外方へ張出して、捻回操作により後述する受け部材２１（図５参照）を係止する係止部１５，１５，１５を形成している。
【００２３】
図４（ｂ）に示すように、上述の係止部１５と上下方向に対向する基板２には開口１６が形成され、受け部材２１の着脱を容易にしている。
【００２４】
受け部材２１は図５（ａ）に平面図で、同図（ｂ）に同図（ａ）のＢ−Ｂ線矢視断面図で示すように、基板２上に形成された縦壁１４の内周に対応する形状の円盤２１ａと、基板２上に形成された係止部１５に対応して円盤２１ａの外周に、例えば１２０度等の所定等間隔を隔てて係入舌片２１ｂが突設されている。また、円盤２１ａの中央部には円盤２１ａ面から上方に延びる中空状のネジ部２１ｃが形成されている。
【００２５】
固定部材２２は、図６（ａ）に平面図で、同図（ｂ）に同図（ａ）のＣ−Ｃ線矢視断面図で示すように、保持容器７（図３参照）の底部内径より小径のフランジ部２２ｂと、フランジ部２２ｂの中央から下方に延びるナット部２２ａとを備えている。ナット部２２ａは、保持容器７（図３参照）底部の水抜き用等の目的で形成された孔２７（図３参照）よりも小径に形成される。
【００２６】
保持容器７は、上述の基板２の取付部１０、受け部材２１、固定部材２２によって以下の方法により固定される。即ち、まず、保持容器７の取付位置が基板２上に設けられた複数の取付部１０から任意に選定される。次に、図３に示すように、基板２の取付部１０に対してまず受け部材２１が捻回操作にて係合固定され、保持容器の孔２７に受け部材２１のネジ部２１ｃが位置するように、保持容器７が円盤２１ａに上載される。
【００２７】
そして、保持容器７の孔２７を利用して、固定部材２２のナット部２２ａが受け部材２１のネジ部２１ｃと螺合する。これにより、保持部材７が取付部１０に固定される。その後、保持容器７の内部に鉢植えされた観賞用植物６の植木鉢１２部分を収納する。
【００２８】
装飾品８である陶製の小さな女の子の人形８ａ及び小さなアヒルのおもちゃ８ｃは基板２上に接着剤により固定され、風鈴８ｂは針金の一端側に吊されると共に、針金８ｃの他端尖部が保持容器７に収容された観賞用植物６を有する植木鉢１２の土あるいは木の根に突刺され固定されている。
【００２９】
基板２上面及び外周部側面、保持容器７の周囲などは、例えば赤、黄、緑や茶、黒等に着色された樹脂フィルム、不織布や紙等の化粧薄体１１によって美しく覆われ、美観を損ないかねない部分を隠している。また、基板２の４角は化粧薄体１１をリボンや紐などの結束部材１３で結び、華やかさを演出している。
【００３０】
本実施形態に係る観賞用植物セット１を配送する際は、分解、梱包等の荷造りをする必要はなく、そのままの状態で配送する。また、本セット１を展示する際は、部品を組み立てたり、各植物や装飾品を所定位置に配置したりすることなく、そのままの状態で展示する。
【００３１】
以上より、本実施形態に係る観賞用植物セット１によれば、基板２上に観賞用植物６を保持した複数の保持容器７，７，７が所定の配置で固定されているので、観賞用植物６を配送する際の荷造りが非常に容易であり、空間を占有する観賞用植物６の立体的な配置を維持しつつ美しい空間を配送先へ直接届けることが可能である。
【００３２】
また、本セットの到着後には現場での開封、飾り付けの作業は一切不要であり、これらに要する労力、費用、時間を節約することができる。更に、コンテナ内部に土を大量に収容して複数の植物を寄せ植したり、装飾品を飾るなどといったことがないので、軽量であり、土壌に含有される大量の微生物を屋内に持ち込むことがなく衛生的である。
【００３３】
また、保持容器７が、固定手段９を介して着脱可能に、基板２上に固定されている場合は、観賞用植物６を基板２から取り外して、生花の保持された切花用保水具への水の補充や交換、鉢植え植物の水やり、肥料やり等といった世話をすることができるので、これらの作業が非常に容易となる。また、気分に応じて一部の植物のみ他の植物に交換したり、花の見頃である植物を選び出して各種植物を組み合わせるといったことが容易に行うことができる。
【００３４】
そして、複数の保持容器７，７，７と基板２とを内部に収容する収容ケース３を備えてなるので、配送のために改めて段ボールに詰め物とともに植物を収容するといった荷造りの手間が省ける。
【００３５】
更に、収容ケース３が、内部に収容された観賞用植物６を外方から透視可能な材料で構成されているので、収容ケース３に収容したままの状態で、展示することが可能であり、配送後の開封の必要がなくなる。
【００３６】
尚、上記の実施形態では、基板２は合成樹脂製としたが、本考案の観賞用植物セット１はそれに限定されるものでなく、木製、陶製、金属製等であってもよい。これらの場合には基板２の上面や側面を化粧薄体１１により隠したりせず、見えるようにすることで美しい外観をより引き立てるといったことも可能となる。また、収容ケース３として側板４及び蓋５により一体に構成したが、例えば、蓋のない側板４のみとしてもよく、側板４と蓋５は、分離可能な構造としてもよい。また、固定手段９は、特開平１１−１２８５号公報に示す構造等を用いたが、これに限定されず、保持容器７を接着剤で基板２に直接固定したり、基板２の所定箇所に凹部（図示しない）を設け、この凹部に保持容器７を挿入固定、あるいは嵌合するといったものであってもよい。
【００３７】
また、観賞用植物６が鉢植えされた植木鉢１２を、保持容器７の内部に収納したが、植木鉢１２を省略し、保持部材７に直接固定部材２２及び観賞用植物６を収納してもよい。また、取付部１０は、３箇所設けたが、２以上であればよく、取付部１０を設ける位置に関しても基板２上の他の位置であってもよい。
【００３８】
また、基板２上に固定する装飾品８として、人形やアヒル、風鈴等を用いたが、これに限定されず、各種おもちゃや置物、貴金属、クリスマスの発光ダイオード等の季節に応じた小物等を使用してもよい。
【図面の簡単な説明】
【００３９】
【図１】図１は本考案の一実施形態に係る観賞用植物セットの基板及び収容ケースを示す斜視図である。
【図２】前記観賞用植物セットの斜視図である。
【図３】前記観賞用植物セットの部分断面図である。
【図４】前記観賞用植物セットの基板の平面図及び断面図である。
【図５】前記観賞用植物セットの受け部材の平面図及び断面図である。
【図６】前記観賞用植物セットの固定部材の平面図及び断面図である。
【符号の説明】
【００４０】
１  観賞用植物セット
２  基板
３  収容ケース
６  観賞用植物
６ａ  胡蝶蘭
７  保持容器
９  固定手段
【図１】
0003125736.tif 000003
【図２】
0003125736.tif 000004
【図３】
0003125736.tif 000005
【図４】
0003125736.tif 000006
【図５】
0003125736.tif 000007
【図６】
0003125736.tif 000008